(57)【要約】【課題】カバー部と支持部との距離を適正化することが容易な画像読取装置を提供すること。【解決手段】画像読取装置３は、原稿を支持する支持部３３と、支持部３３を覆う閉位置と支持部３３を露出させる開位置との間で変位可能なカバー部６とを備える。カバー部６は、ベース部６Ａと、ベース部６Ａに取り付けられた非発泡樹脂製の樹脂部品を含み、カバー部６を閉位置へ変位させた際に、支持部３３側から作用する力でベース部６Ａに対して相対的に変位可能な押圧部４３と、押圧部４３に取り付けられた白色のシート状部品を含み、カバー部６を閉位置へ変位させた際には支持部３３に対向する位置に配置される白色部４５とを備える。【選択図】図３
2015195501.tif 000002
【特許請求の範囲】
【請求項１】
原稿を支持する支持部と、
前記支持部を覆う閉位置と前記支持部を露出させる開位置との間で変位可能なカバー部と、
前記支持部を挟んで前記閉位置にある前記カバー部とは反対側となる位置に配設され、前記支持部によって支持された原稿の画像を読み取る読取部と
を備え、
前記カバー部は、
ベース部と、
前記ベース部に取り付けられた非発泡樹脂製の樹脂部品を含み、前記カバー部を前記閉位置へ変位させた際に、前記ベース部に対して相対的に変位可能な押圧部と、
前記押圧部における、前記カバー部を前記閉位置へ変位させた際に前記支持部に対向する位置に配置される白色部と
を備える画像読取装置。
【請求項２】
前記白色部は、前記押圧部に取り付けられた白色のシート状部品を含み、
前記押圧部には、孔が形成されている
請求項１に記載の画像読取装置。
【請求項３】
前記孔は、前記押圧部に複数形成されており、当該複数の孔は、各孔の貫通方向から見て、前記押圧部の中央から放射状に配列される位置に形成されている
請求項２に記載の画像読取装置。
【請求項４】
前記孔は、前記押圧部を挟んで前記白色部とは反対側となる方向から外光が入射しない箇所に形成されている
請求項２又は請求項３に記載の画像読取装置。
【請求項５】
前記白色部は、周縁部分に長手方向に平行な二辺を有する形状とされ、当該二辺それぞれに沿った箇所において、前記押圧部に対して貼着されている
請求項１〜請求項４のいずれか一項に記載の画像読取装置。
【請求項６】
前記押圧部は、前記ベース部との間に、付属部品を収容可能な収容部を形成している
請求項１〜請求項５のいずれか一項に記載の画像読取装置。
【請求項７】
前記収容部は、前記押圧部における前記ベース部に対向する面に、前記付属部品の抜挿方向に延設されるリブを備える
請求項６に記載の画像読取装置。
【請求項８】
前記カバー部は、所定の第一の軸線を揺動中心として、前記閉位置と前記開位置との間で揺動可能に構成され、
前記押圧部及び前記白色部は、前記第一の軸線に平行な第二の軸線を揺動中心として、第一位置と当該第一位置よりも前記カバー部との間の間隔が拡大する第二位置との間で揺動可能に構成され、
さらに、前記カバー部が前記開位置にある場合に、前記押圧部を前記第二位置側へと付勢可能な付勢部材を備える
請求項６又は請求項７に記載の画像読取装置。
【請求項９】
前記付勢部材は、前記押圧部と前記ベース部との間となる位置に配設され、かつ前記押圧部における前記第二の軸線を中心とする遠心方向の最端部がある位置と前記第二の軸線がある位置とでは、前記最端部がある位置側に近い位置に配設されている
請求項８に記載の画像読取装置。
【発明の詳細な説明】
【技術分野】
【０００１】
本発明は、画像読取装置に関する。
【背景技術】
【０００２】
読取対象の原稿を支持する支持部（例えばプラテンガラス。）を備え、その上から開閉式のカバー部によって原稿を押圧した状態で、原稿の画像を読み取る画像読取装置が知られている（例えば、特許文献１参照。）。カバー部において、カバー部が閉じられた際にプラテンガラスに対向する箇所には、原稿押さえが設けられている。特許文献１には、原稿押さえは、スポンジ及び白板等から構成される旨が開示されている。
【先行技術文献】
【特許文献】
【０００３】
【特許文献１】特開２０１２−１５１７０３号公報
【発明の概要】
【発明が解決しようとする課題】
【０００４】
しかし、上述のようなスポンジの厚さを均一にすることは、加工面で難しく、スポンジの厚さにはばらつきが生じやすい。スポンジの厚さにばらつきがある場合、カバー部とガラス面との間の距離にもばらつきが生じることになる。
【０００５】
そのため、そのようなばらつきに起因して、カバー部と支持部が適正な位置関係にない状態になると、外光やイメージセンサの発光素子からの拡散光を設計通りに遮蔽できなくなる場合がある。その結果、読み取り画像の品質が不安定になる、という問題がある。
【０００６】
以上のような事情から、カバー部と支持部との距離を適正化することが容易な画像読取装置を提供することが望ましい。
【課題を解決するための手段】
【０００７】
以下に説明する画像読取装置は、原稿を支持する支持部と、前記支持部を覆う閉位置と前記支持部を露出させる開位置との間で変位可能なカバー部と、前記支持部を挟んで前記閉位置にある前記カバー部とは反対側となる位置に配設され、前記支持部によって支持された原稿の画像を読み取る読取部とを備え、前記カバー部は、ベース部と、前記ベース部に取り付けられた非発泡樹脂製の樹脂部品を含み、前記カバー部を前記閉位置へ変位させた際に、前記ベース部に対して相対的に変位可能な押圧部と、前記押圧部における、前記カバー部を前記閉位置へ変位させた際に前記支持部に対向する位置に配置される白色部とを備える。
【０００８】
このように構成された画像読取装置によれば、押圧部は、非発泡樹脂製の樹脂部品をベース部に対して相対的に変位可能に取り付けた構成とされている。押圧部は、カバー部を前記閉位置へ変位させた際に、支持部側から作用する力でベース部に対して相対的に変位する。そのため、発泡樹脂製の部材を圧縮変形させることで原稿に対して押圧力を作用させていた従来品とは異なり、押圧部を構成する樹脂部品の寸法安定性は、容易に変形する発泡樹脂製の部材よりも高くなる。したがって、上述のような非発泡樹脂製の樹脂部品で上述のような押圧部を構成すれば、発泡樹脂製の部材を利用する場合よりも、更にカバー部の薄型化を容易に実現できる。また、寸法安定性に優れた押圧部を利用すれば、カバー部と支持部を設計通りの適正な位置関係に維持しやすくなる。よって、外光やイメージセンサの発光素子からの拡散光を設計通りに遮蔽できる。その結果、読み取り画像の品質が安定し、読み取った画像の品質を高めることができる。
【０００９】
以上のような画像読取装置は、更に以下に挙げるような構成を備えていてもよい。
まず、上記画像読取装置において、前記白色部は、前記押圧部に取り付けられた白色のシート状部品を含み、前記押圧部には、孔が形成されていてもよい。
【００１０】
このように構成された画像読取装置によれば、押圧部に孔が形成されていることで、押圧部の剛性を低下させることができる。したがって、押圧部の剛性が過度に高い場合に比べ、仮に押圧部の成形時にいくらか歪みが生じたとしても、押圧部を変形させて歪みの低減ないし解消を図ることが容易になり、押圧部の寸法安定性にばらつきが生じるのを抑制することができる。また、押圧部の剛性が低下すれば、押圧部を適度に湾曲させて配設することも容易となる。そのため、押圧部を支持部側と密着させやすい向きに湾曲させて、支持部ないし原稿に対する密着性を向上させることもできる。さらに、押圧部に孔があることで、シート状部品を含む白色部に公差の範囲内で多少の撓みが生じても、そのような撓みを孔側に逃がすことができる。
【００１１】
また、上記画像読取装置において、前記孔は、前記押圧部に複数形成されており、当該複数の孔は、各孔の貫通方向から見て、前記押圧部の中央から放射状に配列される位置に形成されていてもよい。
【００１２】
このように構成された画像読取装置によれば、複数の孔が、放射状に配列される位置に形成されている。そのため、隣り合う位置にある孔間の樹脂部分も押圧部の中央から放射状に延びる形状となる。したがって、このような押圧部を樹脂材料で成形する際には、押圧部の中央付近に相当する箇所において金型内へ樹脂材料を射出すれば、キャビティの中央部から周縁部へ向かって樹脂材料を均等に行き渡らせることが容易になる。よって、放射状に配列されていない孔を有する場合に比べ、樹脂部品を成形する際に余計な欠陥箇所が生じるのを抑制でき、複数の孔を備える押圧部の品質を良好なものとすることができる。また、放射状に配列されていない孔を有する場合に比べ、押圧部を成形する際に、成形品に余計な残留応力が残るのを抑制できる。
【００１３】
また、上記画像読取装置において、前記孔は、前記押圧部を挟んで前記白色部とは反対側となる方向から外光が入射しない箇所に形成されていてもよい。
このように構成された画像読取装置によれば、上述のような外光が入射しない箇所に孔が形成されている。そのため、外光が入射した場合でも、その外光が孔を通って白色部の裏側に入射してしまうのを抑制できる。したがって、外光の入射が原因で、白色部に明度むらが生じることはなく、読取部において読み取られる画像の品質が低下するのを抑制することができる。
【００１４】
また、上記画像読取装置において、前記白色部は、周縁部分に長手方向に平行な二辺を有する形状とされ、当該二辺それぞれに沿った箇所において、前記押圧部に対して貼着されていてもよい。
【００１５】
このように構成された画像読取装置によれば、白色部は、上述のような二辺それぞれに沿った箇所で押圧部に対して貼着されている。そのため、白色部が全面わたって押圧部に貼着される場合とは異なり、白色部に皺が生じないように留意ながら白色部全面を押圧部に貼着するような作業は不要である。よって、白色部を容易に押圧部に貼着することができる。
【００１６】
また、上記画像読取装置において、前記押圧部は、前記ベース部との間に、付属部品を収容可能な収容部を形成していてもよい。
このように構成された画像読取装置によれば、押圧部が上述のような収容部を形成している。そのため、この収容部に付属部品を収容することができ、同様な収容部を備えていない場合とは異なり、付属部品の収容場所に困ることがなく、画像読取装置の使い勝手を良好にすることができる。
【００１７】
また、上記画像読取装置において、前記収容部は、前記押圧部における前記ベース部に対向する面に、前記付属部品の抜挿方向に延設されるリブを備えてもよい。
このように構成された画像読取装置によれば、同等なリブを備えていない場合に比べ、付属部品を抜き挿しする際に付属部品と収容部との間に作用する摩擦抵抗が減少する。そのため、付属部品を収容部から取り出したり収容部へ挿し込んだりする操作を容易に実施できるようになる。
【００１８】
また、上記画像読取装置において、前記カバー部は、所定の第一の軸線を揺動中心として、前記閉位置と前記開位置との間で揺動可能に構成され、前記押圧部及び前記白色部は、前記第一の軸線に平行な第二の軸線を揺動中心として、第一位置と当該第一位置よりも前記カバー部との間の間隔が拡大する第二位置との間で揺動可能に構成され、さらに、前記カバー部が前記開位置にある場合に、前記押圧部を前記第二位置側へと付勢可能な付勢部材を備えてもよい。
【００１９】
このように構成された画像読取装置によれば、カバー部を開位置へ変位させると、それに連動して押圧部が第二位置へと変位する。これにより、収容部の開口を広げることができる。したがって、付属部品の抜き挿しを実施しやすくすることができる。
【００２０】
特に、押圧部が第二位置側へと付勢されていない場合、カバー部の回動位置によっては、押圧部が自重で第一位置側へと変位する可能性がある。この場合、押圧部とカバー部との間の間隔が縮小し、付属部品の抜き挿しを実施しにくくなる。これに対し、上述のような付勢部材を備えていれば、押圧部が自重で第一位置側へと変位して収容部の開口が狭くなるのを、付勢部材が抑制する。よって、押圧部とカバー部との間の間隔を拡大したまま維持でき、カバー部の回動位置に関係なく、容易に付属部品を抜き挿しすることができる。
【００２１】
また、上記画像読取装置において、前記付勢部材は、前記押圧部と前記ベース部との間となる位置に配設され、かつ前記押圧部における前記第二の軸線を中心とする遠心方向の最端部がある位置と前記第二の軸線がある位置とでは、前記最端部がある位置側に近い位置に配設されていてもよい。
【００２２】
なお、以上のような画像読取装置は、上述のような押圧部を備えたことにより、支持部とカバー部との間の距離のばらつきを十分に抑制することが可能となっている。したがって、そのようなばらつきの抑制効果を阻害しない範囲内であれば、押圧部又は白色部に発泡樹脂層が含まれるか否かは任意である。すなわち、押圧部又は白色部に発泡樹脂層が含まれる場合でも、それに起因して支持部とカバー部との間の距離に過大なばらつきが生じないのであれば、そのような発泡樹脂層が存在することは許容される。
【図面の簡単な説明】
【００２３】
【図１】複合機の構成を示すブロック図である。
【図２】図２（Ａ）は中央カバーが閉位置にある状態の読取ユニットを示す縦断面図である。図２（Ｂ）は中央カバーが開位置にある状態の読取ユニットを示す斜視図である。
【図３】図３（Ａ）はＡＤＦユニットにおける白色部の位置及び形状を示す斜視図である。図３（Ｂ）はＡＤＦユニットにおける押圧部の位置及び形状を示す斜視図である。
【図４】ＡＤＦユニットが閉位置にある状態を示す縦断面図である。
【図５】ＡＤＦユニットが開位置にある状態を示す縦断面図である。
【図６】ＡＤＦユニットにおける付勢部材の位置及び形状を示す斜視図である。
【図７】収容部を示す斜視図である。
【図８】図８（Ａ）は押圧部の収容部側を示す平面図である。図８（Ｂ）は収容部に付属部品が配置された状態を示す平面図である。
【図９】図８（Ｂ）中にＩＸ−ＩＸ線で示した切断箇所における断面図である。
【図１０】図１０（Ａ）はＡＤＦベースの開口箇所を示す平面図である。図１０（Ｂ）はＡＤＦベースの開口箇所と押圧部の孔との位置関係を示す説明図である。
【発明を実施するための形態】
【００２４】
次に、上述の画像読取装置の例示的な実施形態について説明する。
［複合機の構成］
図１に示す複合機１は、上述の画像読取装置の一例に相当する構成を備えるものである。なお、以下の説明においては、複合機１を構成する各部の相対的な位置関係を簡潔に説明するために、図中（図２〜図１０）に上下左右前後の各方向を併記し、これらの各方向を利用して説明を行う。これらの各方向のうち、上下方向は複合機１を水平面上に設置した場合における水平面に直交する方向、前方は後述する操作パネル１４側が向けられる方向、後方は前方の反対方向、左右方向は上記前方から複合機１を見た場合における左右方向である。また、可動部品等の向きは変更され得るので、図中に示した方向が常に維持されるとは限らない。
【００２５】
複合機１は、図１に示すように、本体ユニット２と、読取ユニット３（本明細書でいう画像読取装置の一例に相当。）とを備える。本体ユニット２の上面には開口部（図示略。）が形成されている。読取ユニット３は、本体ユニット２の上部に取り付けられ、閉位置と開位置との間を変位可能に構成されている。読取ユニット３が閉位置にある場合、本体ユニット２の開口部は読取ユニット３によって閉鎖される。読取ユニット３が開位置にある場合、本体ユニット２の開口部は開放される。なお、この開口部を介して、本体ユニット２内に収容されている構成部品のメンテナンス等を実施可能に構成されている。読取ユニット３は、ＦＢユニット５と、ＡＤＦユニット６（本明細書でいうカバー部の一例に相当。）とを備える。これらＦＢユニット５及びＡＤＦユニット６の構造については後述する。
【００２６】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００２７】
制御部１１による制御対象としては、画像形成部１２、ＬＡＮ通信部１３、操作パネル１４、イメージセンサ１５（本明細書でいう読取部の一例に相当。）、モータ１６、モータ１７、及びシート検知センサ１８などが設けられている。これらのうち、画像形成部１２、ＬＡＮ通信部１３、及び操作パネル１４は、本体ユニット２に設けられている。イメージセンサ１５、及びモータ１６は、ＦＢユニット５に設けられている。モータ１７、及びシート検知センサ１８は、ＡＤＦユニット６に設けられている。
【００２８】
画像形成部１２は、カット紙等の被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明及び図示を省略する。なお、画像形成部１２は、電子写真方式で画像を形成可能に構成されていてもよい。
【００２９】
ＬＡＮ通信部１３は、無線ＬＡＮに対応した通信インターフェース装置及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００３０】
イメージセンサ１５は、一方向に配列された複数の読取素子を備える一次元イメージセンサである。本実施形態の場合、密着イメージセンサ（ＣＩＳ；Contact Image Sensor）が採用されている。モータ１６は、イメージセンサ１５の読取素子の配列方向を主走査方向として、主走査方向に直交する副走査方向へイメージセンサ１５を移動させるための動力源である。モータ１７は、ＡＤＦユニット６においてシートを搬送するための動力源である。シート検知センサ１８は、ＡＤＦユニット６において搬送されるシートの搬送方向先端や搬送方向後端が、所定の検出位置を通過したことを検出するセンサである。
【００３１】
シート検知センサ１８としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００３２】
［読取ユニットの詳細］
次に、読取ユニット３の構造について、更に詳細に説明する。読取ユニット３において、ＡＤＦユニット６には、図２（Ａ）及び図２（Ｂ）に示すように、所定の搬送経路（図２（Ｂ）中に破線で示す経路参照。）に沿ってシートを搬送する搬送部２０が設けられている。この搬送部２０は、吸入ローラ２１、分離ローラ２２Ａ、分離片２２Ｂ、中継ローラ２３Ａ、中継ピンチローラ２３Ｂ、反転ローラ２４Ａ、第一反転ピンチローラ２４Ｂ、及び第二反転ピンチローラ２４Ｃなどを備えている。
【００３３】
ＡＤＦユニット６の上面には、図２（Ａ）及び図２（Ｂ）に示すように、中央外装カバー２６、左外装カバー２７、及び右外装カバー２８が設けられている。これら中央外装カバー２６、左外装カバー２７、及び右外装カバー２８は、それぞれが軸支部２６Ａ，２７Ａ，２８Ａによって回動可能に支持されている。中央外装カバー２６を開位置（図２（Ｂ）に示す位置。）に変位させた場合、中央外装カバー２６はシートを支持するシート給排トレイ２９を構成する。
【００３４】
搬送部２０によって搬送されるシートは、図２（Ｂ）中に破線で示す搬送経路に沿って搬送される。その際、吸入ローラ２１によってシート給排トレイ２９上から搬送方向下流側へと送り出されるシートは、分離ローラ２２Ａ及び分離片２２Ｂによって１枚ずつに分離される。分離されたシートは、中継ローラ２３Ａによって搬送方向下流側へと送り出される。中継ローラ２３Ａによって送り出されたシートは、シート検知センサ１８との当接に伴って、その先端位置や終端位置が検出される。シート検知センサ１８との当接箇所を通過したシートは、反転ローラ２４Ａによって更に搬送方向下流側へと搬送される。これにより、シートはシート給排トレイ２９上へと排出される。
【００３５】
ＦＢユニット５は、図２（Ａ）及び図２（Ｂ）に示すように、スキャナベース３１と、スキャナトップカバー３２とを備える。これらスキャナベース３１及びスキャナトップカバー３２は、いずれも樹脂の成形品によって構成されている。スキャナベース３１の上部には、透明なガラス板によって構成されたプラテン３３（本明細書でいう支持部の一例に相当。）が配設されている。プラテン３３は、プラテン３３の周囲において、スキャナベース３１とスキャナトップカバー３２の間に挟み込まれている。
【００３６】
スキャナトップカバー３２の上面には、図３（Ａ）に示すように、第一開口部３２Ａ及び第二開口部３２Ｂが形成されている。これら第一開口部３２Ａ及び第二開口部３２Ｂが形成された箇所において、ＦＢユニット５の上面にはプラテン３３が露出している。第一開口部３２Ａにおいて、プラテン３３は、読み取り対象物を支持する支持面を構成する。また、第二開口部３２Ｂにおいて、プラテン３３は、搬送部２０によって搬送される原稿が接触する接触面を構成する。なお、本実施形態では、単一部品とされたプラテン３３が第一開口部３２Ａ及び第二開口部３２Ｂの双方において露出しているが、第一開口部３２Ａ及び第二開口部３２Ｂのそれぞれに対応する二つのプラテンを設けてもよい。
【００３７】
スキャナベース３１の底部内面には、図２（Ａ）及び図２（Ｂ）に示すように、樹脂製のガイドレール３４が設けられている。ガイドレール３４は、スキャナベース３１に一体成形されている。ガイドレール３４は、プラテン３３の下面に対して平行な状態で、図２（Ｂ）中でいう左右方向に延在している。
【００３８】
ガイドレール３４の上側には、キャリッジ３５が配設される。キャリッジ３５は、ガイドレール３４に沿って左右方向へ往復移動可能な状態で支持されている。キャリッジ３５は、無端状の歯付きベルト（図示略。）に連結され、上述のモータ１６（図１参照。）によって歯付きベルトが循環駆動されると、歯付きベルトに追従してキャリッジ３５が左右方向へ往復移動するように構成されている。
【００３９】
上述のイメージセンサ１５は、上述の主走査方向が図２（Ａ）中でいう前後方向（すなわち、図２（Ａ）中に示す左右方向及び上下方向の双方に垂直な方向。）となり、かつ読取素子が上方に向けられた状態でキャリッジ３５に搭載される。これにより、キャリッジ３５が左右方向へ往復移動すると、イメージセンサ１５がキャリッジ３５とともに副走査方向へ移動することになる。第一開口部３２Ａにおいてプラテン３３の上面に載置されたシートの画像を読み取る場合、イメージセンサ１５は、キャリッジ３５とともに第一開口部３２Ａの下方を移動しながら画像を読み取る。また、搬送部２０によって搬送されるシートの画像を読み取る場合、シートは中継ローラ２３Ａから反転ローラ２４Ａに至る途中で、第二開口部３２Ｂにおいてプラテン３３の上面に接触しつつ通過する。イメージセンサ１５は第二開口部３２Ｂの下方において静止し、プラテン３３を通してシートの画像を読み取る。
【００４０】
［原稿押さえの詳細］
ＡＤＦユニット６が有するＡＤＦベース４０（本明細書でいうベース部の一例に相当。）において、ＡＤＦユニット６が閉位置にある場合にプラテン３３に対向する箇所には、図３（Ａ）に示すように、原稿押さえ４１が配設されている。この原稿押さえ４１は、図３（Ｂ）に示す押圧部４３と、押圧部４３の表面に貼着された白色部４５とを有する。押圧部４３は、非発泡樹脂製の樹脂部品によって構成されている。白色部４５は、白色のシート状部品によって構成されている。白色部４５は、長手方向（図３（Ａ）中でいう左右方向。）に平行な二辺を有する形状とされ、当該二辺それぞれに沿った箇所において、両面テープ４６（図３（Ａ）参照。）によって押圧部４３に対して貼着されている。
【００４１】
押圧部４３は、ＡＤＦベース４０に対して、フックや係合孔（図示せず）を介して揺動可能に取り付けられている。これにより、原稿押さえ４１は、図４に示す第一位置と図５に示す第二位置との間で変位可能となっている。ＡＤＦユニット６の揺動中心Ｒ１は、ＡＤＦユニット６が閉位置にある場合（図４参照。）におけるＡＤＦユニット６の後端付近にある。原稿押さえ４１の揺動中心Ｒ２は、ＡＤＦユニット６が閉位置にある場合（図４参照。）における原稿押さえ４１の後端付近にある。
【００４２】
ＡＤＦユニット６が閉位置にある場合、図４に示すように、原稿押さえ４１は第一位置にある。このとき、原稿押さえ４１は最もＡＤＦベース４０側に接近した状態になる。一方、ＡＤＦユニット６が閉位置にある場合、図５に示すように、原稿押さえ４１は第二位置にある。このとき、原稿押さえ４１は最もＡＤＦベース４０側から離間した状態になる。
【００４３】
押圧部４３とＡＤＦベース４０との間となる位置には、図６に示すように、付勢部材４７（本実施形態ではコイルスプリング。）が配設されている。ＡＤＦベース４０には、突出方向に垂直な断面形状が＋形に形成された突起４８が形成され、この突起４８に付勢部材４７を嵌め込むことにより、付勢部材４７の一端がＡＤＦベース４０に固定されている。付勢部材４７は、押圧部４３における揺動中心Ｒ２を中心とする遠心方向の最端部４３Ａがある位置と揺動中心Ｒ２がある位置とでは、最端部４３Ａがある位置側に近い位置に配設されている。
【００４４】
ＡＤＦユニット６が開位置にある場合、付勢部材４７は、原稿押さえ４１を第二位置側へと付勢する。一方、ＡＤＦユニット６を閉位置へ変位させた際には、プラテン３３側から作用する力で、原稿押さえ４１がＡＤＦベース４０側へと押圧される。これにより、原稿押さえ４１は、付勢部材４７による付勢力に抗してＡＤＦベース４０に対して相対的に変位し、第一位置へと移動する。ＡＤＦユニット６を閉位置へ変位させた際には、白色部４５がプラテン３３に対向する位置に配置されることになる。
【００４５】
押圧部４３は、図７に示すように、ＡＤＦベース４０との間に、付属部品５１を収容可能な収容部５３を形成している。本実施形態において、付属部品５１は、メディアトレイと呼ばれる部品であり、画像形成部１２においてディスクメディアに対して画像を形成する際に用いられる。
【００４６】
押圧部４３における収容部５３側の面には、図８（Ａ）に示すように、付属部品５１の導入方向に沿って複数のガイド部５４が突設され、これらのガイド部５４に沿って付属部品５１を抜挿可能となっている。また、押圧部４３における収容部５３側の面には、付属部品５１の抜挿方向に延設されるリブ５５が形成されている。
【００４７】
付属部品５１は、押圧部４３に対し、図８（Ｂ）に示すような位置に収容される。このとき、リブ５５は、図９に示すように、その先端で付属部品５１に当接する。これにより、付属部品５１は、極めて面積が小さいリブ５５の先端で支持される。よって、付属部品５１の抜挿時に付属部品５１とリブ５５との間に生じる摩擦抵抗は小さくなり、付属部品５１を収容部５３に対してスムーズに抜挿することができる。
【００４８】
押圧部４３には、図８（Ａ）などに示すように、複数の孔５７が形成されている。これら複数の孔５７は、各孔５７の貫通方向（例えば、図８（Ａ）における紙面に垂直な方向）から見て、押圧部４３の中央４３Ｃから放射状に配列される位置に形成されている。ただし、これらの孔５７は、押圧部４３を挟んで白色部４５とは反対側となる方向から外光が入射しない箇所に形成されている。
【００４９】
本実施形態において、ＡＤＦベース４０には、図１０（Ａ）に示すように、複数の開口箇所５９が存在する（図１０（Ａ）中に斜線を付けて示す箇所。）。これらの開口箇所５９は、それぞれ目的があって形成されているが、これらの開口箇所５９に装置上面側から光が入射すると、その光が押圧部４３側にまで到達することがある。図１０（Ｂ）は、押圧部４３の上に開口箇所５９の位置（図１０（Ｂ）中に斜線を付けて示す位置。）を投影した説明図である。
【００５０】
このような開口箇所５９の直下において、仮に押圧部４３に孔５７を形成したとすると、開口箇所５９から入射した光は、更に孔５７を通って白色部４５に到達する。この場合、白色のシート状部品である白色部４５では、一部の光がプラテン３３側にまで透過し、白色部４５のプラテン３３側の面に明暗むらが生じ得る。そのため、このような明暗むらが生じることに起因して、読み取り画質に影響が現れ、画質の低下を招くおそれがある。
【００５１】
そこで、本実施形態の押圧部４３においては、開口箇所５９の直下となる位置を避けて、複数の孔５７を放射状に形成している。これにより、開口箇所５９の直下に光が入射した場合でも、その光を押圧部４３で遮断することができる。これにより、白色部４５のプラテン３３側の面には、開口箇所５９があることに起因する明暗むらが生じなくなる。
【００５２】
［効果］
以上説明したような複合機１によれば、押圧部４３が、非発泡樹脂製の樹脂部品で構成されて、その押圧部４３をＡＤＦベース４０に対して相対的に変位可能に取り付けることで、押圧部４３による押圧機能を実現している。そのため、発泡樹脂製の部材（例えば、スポンジシート。）を圧縮変形させることで原稿に対して押圧力を作用させていた従来品とは異なり、押圧部４３を構成する樹脂部品の寸法安定性は発泡樹脂製の部材よりも高くなる。
【００５３】
したがって、ＡＤＦユニット６とプラテン３３との距離にばらつきが生じるのを抑制できる。これにより、ＡＤＦユニット６とプラテン３３とを設計通りの適正な位置関係に維持しやすくなり、外光やイメージセンサの発光素子からの拡散光を設計通りに遮蔽できる。その結果、読取ユニット３による読み取り画像の品質が安定し、読み取った画像の品質を高めることができる。
【００５４】
また、上記複合機１において、押圧部４３には複数の孔５７が形成されているので、押圧部４３の剛性を低下させることができる。そのため、押圧部４３を成形する際には、孔５７のない樹脂部品に比べ、成形品に余計な残留応力が残るのを抑制できる。したがって、予期しない箇所で押圧部４３に歪みが生じたり、押圧部４３の寸法安定性にばらつきが生じたりするのを抑制することができる。
【００５５】
また、押圧部４３の剛性が低下すれば、押圧部４３を適度に湾曲させて配設することも容易となる。そのため、押圧部４３をプラテン３３側と密着させやすい向き（プラテン３３側が凸となる向き）に湾曲させて、プラテン３３ないし原稿に対する密着性を向上させることもできる。さらに、押圧部４３に孔５７があることで、白色部４５に公差の範囲内で多少の撓みが生じても、そのような撓みを孔５７側に逃がすことができる。
【００５６】
また、複数の孔５７が、放射状に配列される位置に形成されているので、隣り合う位置にある孔５７，５７間の樹脂部分も押圧部４３の中央から放射状に延びる形状となる。したがって、このような押圧部４３を樹脂材料で成形する際には、押圧部４３の中央４３Ｃ付近に相当する箇所において金型内へ樹脂材料を射出すれば、金型内においてキャビティの中央部から周縁部へ向かって樹脂材料を均等に行き渡らせることが容易になる。よって、放射状に配列されていない孔５７を有する場合に比べ、樹脂部品を成形する際に余計な欠陥箇所が生じるのを抑制でき、押圧部４３の品質を良好なものとすることができる。
【００５７】
また、上述した複数の孔５７は、上述のような外光が入射しない箇所に形成されている。よって、外光の入射が原因で、白色部４５に明度むらが生じることはなく、イメージセンサ１５において読み取られる画像の品質が低下するのを抑制することができる。
【００５８】
また、白色部４５は、上述のような二辺それぞれに沿った箇所で押圧部４３に対して貼着されている。そのため、白色部４５が全面わたって押圧部４３に貼着される場合とは異なり、白色部４５に皺が生じないように留意ながら白色部４５全面を押圧部４３に貼着するような作業は不要である。よって、白色部４５を容易に押圧部４３に貼着することができる。
【００５９】
また、上記複合機１においては、押圧部４３が上述のような収容部５３を形成しているので、収容部５３に付属部品５１を収容することができる。したがって、同様な収容部５３を備えていない場合とは異なり、付属部品５１の収容場所に困ることがなく、複合機１の使い勝手を良好にすることができる。
【００６０】
また、上記複合機１によれば、上述のような付勢部材４７が設けてあるので、ＡＤＦユニット６を開位置へ変位させると、それに連動して押圧部４３が第二位置へと変位する。したがって、押圧部４３を手で操作しなくても、収容部５３の開口を広げることができる。また、押圧部４３が自重で第一位置側へと変位して収容部５３の開口が狭くなるのを、付勢部材４７によって抑制できる。よって、付属部品５１の抜き挿しを実施する際の利便性を高めることができる。
【００６１】
［その他の事例］
以上、画像読取装置の例示的な実施形態について説明したが、本発明は、上述の実施形態に限定されるものではなく、本発明の技術的思想を逸脱しない範囲内において、様々な形態で実施することができる。
【００６２】
例えば、上記実施形態においては、上述のような押圧部４３を備えたことにより、プラテン３３とＡＤＦユニット６との間の距離のばらつきを十分に抑制可能である。したがって、そのようなばらつきの抑制効果を阻害しない範囲内であれば、押圧部４３及び白色部４５のうち、いずれか一方又は両方が発泡樹脂層を備えていてもよい。
【００６３】
また、上記実施形態では、押圧部４３に複数の孔５７を形成してあったが、このような孔５７を形成するか否かは任意である。
また、上記実施形態では、押圧部４３がＡＤＦベース４０との間に収容部５３を形成していたが、このような収容部５３を形成する構成とするか否かは任意である。
【００６４】
また、上記実施形態では、押圧部４３とＡＤＦベース４０との間に、付勢部材４７を設けてあったが、このような付勢部材４７を設けるか否かは任意である。また、付勢部材４７をコイルスプリングにするか否かも任意であり、コイルスプリング以外の各種ばね材を付勢部材４７として採用してもよい。
【００６５】
なお、上記実施形態では、画像読取装置の一例として、複合機１が備える読取ユニット３を例示したが、複合機として構成されているか否かは任意であり、単機能の画像読取装置、コピー機、ファクシミリ装置などにおいて、上述のような構成を採用してもよい。
【符号の説明】
【００６６】
１…複合機、２…本体ユニット、３…読取ユニット、５…ＦＢユニット、６…ＡＤＦユニット、６Ａ…ＡＤＦベース、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…ＬＡＮ通信部、１４…操作パネル、１５…イメージセンサ、１６…モータ、１７…モータ、１８…シート検知センサ、２０…搬送部、２１…吸入ローラ、２２Ａ…分離ローラ、２２Ｂ…分離片、２３Ａ…中継ローラ、２３Ｂ…中継ピンチローラ、２４Ａ…反転ローラ、２４Ｂ…第一反転ピンチローラ、２４Ｃ…第二反転ピンチローラ、２６…中央外装カバー、２６Ａ…軸支部、２７…左外装カバー、２８…右外装カバー、２９…シート給排トレイ、３１…スキャナベース、３２…スキャナトップカバー、３２Ａ…第一開口部、３２Ｂ…第二開口部、３３…プラテン、３４…ガイドレール、３５…キャリッジ、４１…原稿押さえ、４３…押圧部、４５…白色部、４６…両面テープ、４７…付勢部材、５１…付属部品、５３…収容部、５４…ガイド部、５５…リブ、５７…孔、５９…開口箇所。
【図１】
2015195501.tif 000003
【図２】
2015195501.tif 000004
【図３】
2015195501.tif 000005
【図４】
2015195501.tif 000006
【図５】
2015195501.tif 000007
【図６】
2015195501.tif 000008
【図７】
2015195501.tif 000009
【図８】
2015195501.tif 000010
【図９】
2015195501.tif 000011
【図１０】
2015195501.tif 000012